(57)【要約】【課題】外出先からでも自宅への来客者と応答可能なインターフォンシステムを提供する。【解決手段】来客者の顔を撮影するカメラおよび来客者の音声を取り込むマイクを備えた外部インターフォン１０と、画像の表示および電子メールの受信が可能な携帯端末４０、５０と、上記カメラにより撮影された画像データを受信すると、予め登録された画像データと受信した画像データを照合し、それらの画像データの特徴部分が一致した場合、上記マイクにより取り込まれた音声データを文字データに変換し、文字データからなる電子メールおよび受信した画像データを上記携帯端末４０、５０に送信するコンピュータ３０とを備える。【選択図】　図１
2004056370.tif 000002
【特許請求の範囲】
【請求項１】
来客者の顔を撮影するカメラ、および来客者の音声を取り込むマイクを備えた外部インターフォンと、
画像の表示および電子メールの受信が可能な携帯端末と、
前記カメラにより撮影された画像データを受信すると、予め登録された画像データと前記受信した画像データを照合し、それらの画像データの特徴部分が一致した場合、前記マイクにより取り込まれた音声データを文字データに変換し、該文字データからなる電子メールおよび前記受信した画像データを前記携帯端末に送信する、前記外部インターフォンと通信可能に接続され、前記携帯端末とネットワークを介して接続されたコンピュータと、
を有するインターフォンシステム。
【請求項２】
来客者の顔を撮影するカメラ、および来客者の音声を取り込むマイクを備えた外部インターフォンと、
画像の表示が可能な携帯端末と、
前記カメラにより撮影された画像データを受信すると、予め登録された画像データと前記受信した画像データを照合し、それらの画像データの特徴部分が一致しない場合、前記外部インターフォンから受信する画像データおよび音声データを前記携帯端末に転送する、前記外部インターフォンと通信可能に接続され、前記携帯端末とネットワークを介して接続されたコンピュータと、
を有するインターフォンシステム。
【請求項３】
前記コンピュータは、
前記外部インターフォンから受信する画像データおよび音声データを保存する請求項１または２記載のインターフォンシステム。
【請求項４】
前記コンピュータに接続された、不審者の侵入を検知するための外部センサーを有し、
前記コンピュータは、
前記外部センサーから検知信号を受信すると、検知信号を受信した旨の通知を前記携帯端末に送信する請求項１または２記載のインターフォンシステム。
【請求項５】
カメラおよびマイクを備えた外部インターフォンから受信するデータを携帯端末に提供するための情報提供方法であって、
前記カメラにより撮影された画像データを受信すると、予め登録された画像データと前記受信した画像データを照合し、
それらの画像データの特徴部分が一致した場合、前記マイクにより取り込まれた音声データを文字データに変換し、
前記文字データからなる電子メールと前記画像データをネットワークを介して前記携帯端末に送信する情報提供方法。
【請求項６】
カメラおよびマイクを備えた外部インターフォンから受信するデータを携帯端末に提供するための情報提供方法であって、
前記カメラにより撮影された画像データを受信すると、予め登録された画像データと前記受信した画像データを照合し、
それらの画像データの特徴部分が一致しない場合、前記外部インターフォンから受信する画像データおよび音声データをネットワークを介して前記携帯端末に転送する情報提供方法。
【請求項７】
前記外部インターフォンから受信した画像データおよび音声データを保存する請求項５または６記載の情報提供方法。
【請求項８】
予め不審者の侵入を検知するための外部センサーを備えておき、
前記外部センサーから検知信号を受信すると、検知信号を受信した旨の通知を前記ネットワークを介して前記携帯端末に送信する請求項５または６記載の情報提供方法。
【発明の詳細な説明】
【０００１】
【発明の属する技術分野】
本発明は、家の玄関外側に備えた外部インターフォンと、家屋内に備えた内部インターフォンとを有するインターフォンシステム、および来客者の情報を知らせるための情報提供方法に関する。
【０００２】
【従来の技術】
従来、来客者が利用するための外部インターフォンと、外部インターフォンと通信可能に接続され、家の中に居る人が利用するための内部インターフォンとを有するインターフォンシステムがある。外部インターフォンおよび内部インターフォンには、マイクおよびスピーカが設けられており、このシステムの利用者は玄関を開けなくても、玄関前に居る来客者と会話できる。
【０００３】
【発明が解決しようとする課題】
しかし、上述の従来の技術では、外出中は応答することができず、応答できなければ、不在宅に侵入することを目的とする不審者は外出中であることが知られてしまう。
【０００４】
また、宅配業者は荷受人が不在であると、再度配送するか、宅配業者への連絡先が書かれた用紙を残す。再度配送した場合にも、荷受人が不在であると、宅配業者に無駄な配送の手間が生じる。一方、連絡先が書かれた用紙を残す場合には、荷受人に宅配業者に連絡する手間が生じる。
【０００５】
本発明は上記したような従来の技術が有する問題点を解決するためになされたものであり、外出先からでも自宅への来客者と応答可能なインターフォンシステム、および来客者の情報を利用者に知らせるための情報提供方法を提供することを目的とする。
【０００６】
【課題を解決するための手段】
上記目的を達成するための本発明のインターフォンシステムは、来客者の顔を撮影するカメラ、および来客者の音声を取り込むマイクを備えた外部インターフォンと、
画像の表示および電子メールの受信が可能な携帯端末と、
前記カメラにより撮影された画像データを受信すると、予め登録された画像データと前記受信した画像データを照合し、それらの画像データの特徴部分が一致した場合、前記マイクにより取り込まれた音声データを文字データに変換し、該文字データからなる電子メールおよび前記受信した画像データを前記携帯端末に送信する、前記外部インターフォンと通信可能に接続され、前記携帯端末とネットワークを介して接続されたコンピュータと、
を有する構成である。
【０００７】
上記のように構成される本発明では、来客者がコンピュータに登録されている人であれば、来客者の音声データが文字データに変換され、文字データからなる電子メールと来客者の顔の画像データが利用者の携帯端末に送信されるため、利用者は携帯端末を操作して電子メールおよび受信した画像データを見ることで、来客者が誰で、何の用件で訪問したかを知ることが可能となる。
【０００８】
また、本発明のインターフォンシステムは、来客者の顔を撮影するカメラ、および来客者の音声を取り込むマイクを備えた外部インターフォンと、
画像の表示が可能な携帯端末と、
前記カメラにより撮影された画像データを受信すると、予め登録された画像データと前記受信した画像データを照合し、それらの画像データの特徴部分が一致しない場合、前記外部インターフォンから受信する画像データおよび音声データを前記携帯端末に転送する、前記外部インターフォンと通信可能に接続され、前記携帯端末とネットワークを介して接続されたコンピュータと、
を有する構成である。
【０００９】
上記のように構成される本発明では、来客者がコンピュータに登録されていない人であれば、カメラで撮影される画像データとマイクで取り込まれる音声データが外部インターフォンからコンピュータを介して携帯端末に送信されるため、利用者は携帯端末を用いて、自宅を訪問中の来客者の顔を見ること、および来客者の声を聞くことが可能となる。
【００１０】
また、上記いずれかの本発明のインターフォンシステムにおいて、前記コンピュータは、
前記外部インターフォンから受信する画像データおよび音声データを保存することとしてもよい。
【００１１】
上記のように構成される本発明では、外部インターフォンから受信する画像データおよび音声データがコンピュータに保存されるため、利用者はコンピュータを操作することで、来客者の顔とメッセージ内容を確認できる。
【００１２】
さらに、上記いずれかの本発明のインターフォンシステムにおいて、前記コンピュータに接続された、不審者の侵入を検知するための外部センサーを有し、
前記コンピュータは、
前記外部センサーから検知信号を受信すると、検知信号を受信した旨の通知を前記携帯端末に送信することとしてもよい。
【００１３】
上記のように構成される本発明では、外部センサーが不審者の侵入を検知したことが携帯端末を介して利用者に知らされるため、利用者は外出中でも不審者の自宅への侵入を知ることが可能となる。
【００１４】
一方、上記目的を達成するための本発明の情報提供方法は、カメラおよびマイクを備えた外部インターフォンから受信するデータを携帯端末に提供するための情報提供方法であって、
前記カメラにより撮影された画像データを受信すると、予め登録された画像データと前記受信した画像データを照合し、
それらの画像データの特徴部分が一致した場合、前記マイクにより取り込まれた音声データを文字データに変換し、
前記文字データからなる電子メールと前記画像データをネットワークを介して前記携帯端末に送信することを特徴とする。
【００１５】
また、本発明の情報提供方法は、カメラおよびマイクを備えた外部インターフォンから受信するデータを携帯端末に提供するための情報提供方法であって、
前記カメラにより撮影された画像データを受信すると、予め登録された画像データと前記受信した画像データを照合し、
それらの画像データの特徴部分が一致しない場合、前記外部インターフォンから受信する画像データおよび音声データをネットワークを介して前記携帯端末に転送することを特徴とする。
【００１６】
また、上記いずれかの本発明の情報提供方法において、前記外部インターフォンから受信した画像データおよび音声データを保存することとしてもよい。
【００１７】
さらに、上記いずれかの本発明の情報提供方法において、予め不審者の侵入を検知するための外部センサーを備えておき、
前記外部センサーから検知信号を受信すると、検知信号を受信した旨の通知を前記ネットワークを介して前記携帯端末に送信することとしてもよい。
【００１８】
【発明の実施の形態】
本発明はインターフォン、パーソナルコンピュータ、インターネットおよび携帯電話機を利用して、外出中でも来客者とタイムリーに応答可能にすることを特徴とする。
【００１９】
本発明のインターフォンシステムについて説明する。
【００２０】
図１は、本発明のインターフォンシステムの一構成例を示すブロック図である。
【００２１】
図１に示すように、本発明のインターフォンシステムは、来客者が利用するための外部インターフォン１０と、外部インターフォン１０と通信可能に接続された内部インターフォン２０と、内部インターフォン２０と通信可能に接続され、利用者の自宅内に設けられたパーソナルコンピュータ（以下、パソコンと称する。）３０と、利用者側に備えた携帯電話機４０と、利用者が外出先で電子メールを受信するための外出先パソコン５０と、パソコン３０に接続され、不審者の侵入を検知するために家屋の玄関および窓等に設けられた外部センサー６０とを有する構成である。
【００２２】
なお、パソコン３０、外出先パソコン５０、および携帯電話機４０はインターネット１００などのネットワーク、および図に示さない電話回線網を介して相互に通信可能に接続される。
【００２３】
図２はインターフォンシステムの各構成を詳細に示すブロック図である。なお、図２では携帯電話機４０および外出先パソコン５０を図に示すことを省略している。
【００２４】
外部インターフォン１０は、内部インターフォン２０から受信する音声データを出力するスピーカ１１と、来客者の音声を取り込むマイク１２と、来客者を撮影するカメラ１３と、訪問を知らせるための呼出ボタン１４とを有する構成である。
【００２５】
内部インターフォン２０は、利用者が来客者と会話をするための受話器２８と、カメラ１３で撮影された画像データを表示するモニタ２３と、マイク１２で取り込まれる音声データを録音する録音再生部２４と、画像データを記録するメモリ部２５と、音声データおよび画像データをパソコン３０と送受信する接続部２６と、各部を制御するインターフォン制御部２７とを有する構成である。
【００２６】
受話器２８は利用者の音声を取り込むマイク２１と、外部インターフォン１０から受信する音声データを出力するスピーカ２２とを備えている。
【００２７】
インターフォン制御部２７は図示しないプロセッサ（ＣＰＵ）と、プロセッサに所定の処理を実行させるためのプログラムが格納された内部メモリ（不図示）とを備えている。
【００２８】
インターフォン制御部２７は呼出ボタン１４が押されたことを示す呼出信号を受信し、呼出信号を受信してから所定の時間内に受話器２８が持ち上げられることで利用者の応答を示す応答信号を受け取ると、外部インターフォン１０のマイク１２、スピーカ１１およびカメラ１３と、内部インターフォン２０のマイク２１、カメラ１３およびスピーカ２２を起動させる。マイク１２で取り込まれる音声データをスピーカ２２に出力させ、マイク２１で取り込まれる音声データをスピーカ１１に出力させる。また、マイク１２で取り込まれる音声データを録音再生部２４に一旦格納した後、接続部２６を介してパソコン３０に送信する。カメラ１３で撮影される画像データをメモリ部２５に一旦格納した後、接続部２６を介してパソコン３０に送信する。
【００２９】
呼出信号を受信してから所定の時間内に応答信号を受け取らなければ、マイク１２およびカメラ１３を起動させ、カメラ１３で取り込まれる画像データをメモリ部２５に一旦格納した後、画像データの照合を要求するために接続部２６を介してパソコン３０に送信する。照合の結果、パソコン３０に登録された画像データに一致するものがあることを示す登録通知信号を受信すると、録音再生部２４を不在モードに切り換え、録音再生部２４に格納される音声データをパソコン３０に送信する。一方、パソコン３０に登録された画像データに一致するものがないことを示す非登録通知信号を受信すると、マイク１２で取り込まれる音声データ、およびカメラ１３で撮影される画像データを接続部２６を介してパソコン３０に転送する。
【００３０】
録音再生部２４は不在モードに設定されると、留守番機能が動作して、予め設定された、不在のために用件を述べてもらうことを要求する応答メッセージを再生してスピーカ１１を介して出力し、マイク１２で取り込まれた音声データを録音する。
【００３１】
パソコン３０は、プログラム制御により所定の処理を実行する制御部３１と、画像データを一時的に格納するためのメモリ部３２と、画像データを電子メールに添付する形式に変換する画変換部３３と、音声データを電子メール文書にするための文字データに変換する音変換部３４と、受信する音声データおよび画像データを転送する転送部３５と、内部インターフォン２０、携帯電話機４０、および外出先パソコン５０とデータの送受信をする接続部３６と、音声データおよび画像データを格納するための記憶ディスク（ＤＩＳＫ）３８と、登録データを参照および更新する際にＤＩＳＫ３８とデータの送受信をするための応答部３７とを有する構成である。
【００３２】
ＤＩＳＫ３８は照合のために利用者の親類、知人および友人などの顔を撮影した画像データが利用者の操作によりデータベースにして登録されている。また、マイク１２により取り込まれた音声データ、およびカメラ１３により撮影された画像データが接続部３６での受信日時とともに格納される。
【００３３】
制御部３１は図示しないプロセッサ（ＣＰＵ）と、プロセッサに所定の処理を実行させるためのプログラムが格納された内部メモリ（不図示）とを備えている。
【００３４】
制御部３１は画像データを内部インターフォン２０から受信すると、画像データをメモリ部３２に格納するとともに、画像データから顔の特徴部分を認識し、ＤＩＳＫ３８に予め登録された画像データと照合する。顔の特徴が一致する画像データがあると判断した場合には、上記登録通知信号を内部インターフォン２０に送信する。なお、画像データから顔の特徴部分を認識する技術は、例えば、特開平０９−０３５０５８号公報に開示されているため、ここではその詳細な説明を省略する。
【００３５】
登録通知信号を送信した場合、内部インターフォン２０から音声データを受信すると、音声データ、およびメモリ部３２に格納した画像データをＤＩＳＫ３８に格納する。受信した音声データを音変換部３４に送出して文字データに変換させ、受信した画像データを画変換部３３に送出して電子メール添付形式となる添付形式画像データに変換させ、文字データおよび添付形式画像データを添付した電子メールを作成し、作成した電子メールを携帯電話機４０および外出先パソコン５０のメールアドレス宛に送信する。
【００３６】
一方、顔の特徴が一致する画像データがないと判断した場合には、上記非登録通知信号を内部インターフォン２０に送信し、外部インターフォン１０のマイク１２で取り込まれる音声データ、およびカメラ１３で撮影される画像データを内部インターフォン２０を介して受信すると、転送部３５および接続部３６を介して携帯電話機４０に転送する。また、携帯電話機４０から受信する音声データを内部インターフォン２０を介して外部インターフォン１０のスピーカ１１に転送する。
【００３７】
外部センサー６０から検知信号を受信すると、携帯電話機４０の電話番号に発信し、携帯電話機４０と回線が接続されると、外部センサー６０が検知したことを通報するためのメッセージを音声データで送信する。
【００３８】
図１に示した携帯電話機４０および外出先パソコン５０は携帯端末であり、受信した画像データを表示可能な表示部を備えている。また、インターネット１００を介してパソコン３０から送信された電子メールを受信可能である。
【００３９】
次に、利用者が在宅時の上記インターフォンシステムによる動作手順を説明する。
【００４０】
図３は利用者が在宅時のインターフォンシステムの動作手順を示すフローチャートである。
【００４１】
来客者が外部インターフォン１０の呼出ボタン１４を押すと、インターフォン制御部２７は呼出信号を受信し（ステップＡ１）、利用者に来客のあることを知らせるために屋内のベル（不図示）を鳴らす。呼出信号を受信してから所定の時間内に利用者が受話器２８を持ち上げると、インターフォン制御部２７は応答信号を受け取り、マイク１２、２１、スピーカ１１、２２、カメラ１３およびモニタ２３を起動させる。マイク１２で来客者の音声を取り込んで、音声データをスピーカ２２に出力させるとともに、録音再生部２４に格納する。また、カメラ１３により撮影された画像データをモニタ２３に送るとともに、メモリ部２５に格納する。
【００４２】
録音再生部２４に格納された音声データ、およびメモリ部２５に格納された画像データは、接続部２６を介してパソコン３０に送信される。パソコン３０の制御部３１は、音声データおよび画像データを内部インターフォン２０から受信すると、受信日時とともにＤＩＳＫ３８に登録する（ステップＡ２）。
【００４３】
インターフォン制御部２７はマイク２１で利用者の音声を取り込んで、音声データをスピーカ１１に出力させ、応答可能にする（ステップＡ３）。
【００４４】
なお、利用者はパソコン３０を操作することで、制御部３１は取得した画像データを新たに登録し、登録されている画像データを更新する。
【００４５】
上述のようにして、在宅の場合、利用者は玄関を開けなくても来客者の姿を見ながら会話できる。また、音声データおよび画像データがパソコン３０のＤＩＳＫ３８に格納されるため、利用者はパソコン３０を操作して、必要に応じてＤＩＳＫ３８に格納されたデータを応答部３７を介して更新できる。
【００４６】
次に、利用者が不在時のインターフォンシステムの動作手順を説明する。
【００４７】
図４は利用者が不在時のインターフォンシステムの動作手順を示すフローチャートである。なお、ここでは来客者の顔の画像データが予めＤＩＳＫ３８に登録されているものとする。
【００４８】
来客者が外部インターフォン１０の呼出ボタン１４を押すと、インターフォン制御部２７は呼出信号を受信し（ステップＢ１）、屋内のベルを鳴らす。呼出信号を受信してから所定の時間内に応答信号を受け取らないと、マイク１２およびカメラ１３を起動させ、カメラ１３で撮影された画像データをメモリ部２５に一旦格納した後、画像データの照合を要求するために接続部２６を介してパソコン３０に送信する（ステップＢ２）。
【００４９】
パソコン３０の制御部３１は画像データを内部インターフォン２０から受信すると、一旦メモリ部３２に画像データを格納するとともに、画像データから顔の特徴部分を認識し、ＤＩＳＫ３８に予め登録された画像データの顔の部分と照合する。顔の特徴が一致する画像データがあると判断すると、登録通知信号を内部インターフォン２０に送信する（ステップＢ３）。
【００５０】
インターフォン制御部２７は登録通知信号をパソコン３０から受信すると、録音再生部２４を不在モードに切り換えて留守番機能を動作させ、予め設定された、不在のため用件を述べてもらうことを要求する応答メッセージを再生させてスピーカ１１に出力させ（ステップＢ４）、来客者が述べた用件をマイク１２で取り込み、取り込まれた音声データを録音させる（ステップＢ５）。続いて、録音した音声データを接続部２６を介してパソコン３０に送信する（ステップＢ６）。
【００５１】
パソコン３０の制御部３１は音声データを受信すると、受信日時、およびメモリ部３２に格納された画像データとともに音声データをＤＩＳＫ３８に格納する。また、受信した音声データを音変換部３４に送出して文字データに変換し、画像データを画変換部３３に送出して電子メール添付形式となる添付形式画像データに変換する。続いて、添付形式画像データが添付された、上記文字データの記載された電子メールを作成して、携帯電話機４０および外出先パソコン５０のメールアドレスにインターネット１００を介して送信する（ステップＢ７）。
【００５２】
上述のようにして、来客者がデータベースに登録された人であれば、来客者の顔が撮影された画像、および訪問の用件が電子メールで携帯電話機４０および外出先のパソコン５０で受信されるため、利用者は受信した電子メールを開くことで、来客者、および訪問の用件を知ることができる。そのため、利用者側から来客者に連絡を取るなどして、従来の場合より円滑な対応が可能となる。
【００５３】
なお、電子メールの送信先は携帯電話機４０および外出先パソコン５０に限らず、利用者が電子メールの送信先アドレスを予め設定できる。電子メールの送信先を複数設定可能にすることで、利用者が外出先で電子メールを受信しやすくなり、来客があったことをより早く知ることができる。
【００５４】
次に、利用者が不在時で、かつ、来客者の顔の画像データがＤＩＳＫ３８に未登録の場合のインターフォンシステムによる動作手順を説明する。
【００５５】
図５は利用者が不在時のインターフォンシステムの動作手順を示すフローチャートである。
【００５６】
図４で示したステップＢ２までの動作と同様に、来客者により呼出ボタン１４が押され、インターフォン制御部２７が呼出信号を受信した後（ステップＣ１）、所定の時間内に応答信号を受け取らないと、カメラ１３で撮影された画像データをパソコン３０に送信する（ステップＣ２）。
【００５７】
パソコン３０の制御部３１は画像データを内部インターフォン２０から受信すると、一旦メモリ部３２に画像データを格納するとともに、画像データから顔の特徴部分を認識し、ＤＩＳＫ３８に予め登録された画像データの顔の部分と照合する。顔の特徴が一致する画像データがないと判断すると、非登録通知信号を内部インターフォン２０に送信する（ステップＣ３）。
【００５８】
インターフォン制御部２７は非登録通知信号をパソコン３０から受信すると、マイク１２で取り込まれる音声データを録音再生部２４に格納する。録音再生部２４に格納された音声データは接続部２６を介してパソコン３０に送信される。
【００５９】
制御部３１は、音声データを受信すると、受信日時とともに、音声データ、およびメモリ部３２に格納された画像データをＤＩＳＫ３８に登録する（ステップＣ４）。
【００６０】
その後、制御部３１は利用者の携帯電話機４１の電話番号にインターネット１００、および図に示さない電話回線網を介して発信し、利用者の操作により回線が接続されると、マイク１２で取り込まれる音声データ、およびカメラ１３で撮影される画像データを転送部３５を介して携帯電話機４０に転送する（ステップＣ５）。また、携帯電話機４０のマイクで取り込まれた音声データを、転送部３５を介して外部インターフォン１０に転送してスピーカ１１に出力させる。
【００６１】
上述のようにして、携帯電話機４０と外部インターフォン１０との間で音声データが送受信されるだけでなく、カメラ１３で撮影された画像データが携帯電話機４０の表示部に表示されるため、利用者は外出中であっても携帯電話機４０を用いて、自宅への来客者の顔を見ながら来客者と会話できる。そのため、来客者が不審者であっても、在宅時と同様に素早く応答でき、不在であることを察知されることがない。
【００６２】
次に、玄関および窓などに予め設けられた外部センサー６０が不審者の侵入を検知した場合のインターフォンシステムの動作手順について説明する。
【００６３】
図６は外部センサー６０が不審者の侵入を検知した場合のインターフォンシステムの動作手順を示すフローチャートである。
【００６４】
外部センサー６０が不審者の侵入を検知すると、検知したことを示す検知信号をパソコン３０の制御部３１に送信する（ステップＤ１）。制御部３１は外部センサー６０から検知信号を受信すると、携帯電話機４０の電話番号に発信し、携帯電話機４０と回線が接続されると、外部センサー６０が検知したことを通報するためのメッセージを音声データで送信する（ステップＤ２）。
【００６５】
なお、携帯電話機４０に電話をかける代わりに、予め決められた、外部センサー６０が検知したことを通報するためのメッセージが記載された電子メールを携帯電話機４０および外出先パソコン５０のメールアドレスに送信するようにしてもよい。
【００６６】
上述のようにして、外部センサー６０が不審者の侵入を検知すると、その旨が携帯電話機４０を介して利用者に通知される。そのため、利用者は外出中でも自宅に不審者が侵入したことを知ることができる。
【００６７】
なお、制御部３１が画変換部３３、音変換部３４および応答部３７の機能も備えるようにしてもよい。
【００６８】
また、内部インターフォン２０とパソコン３０とを別の構成とせず、内部インターフォン２０およびパソコン３０の機能を備えた単体の構成であってもよい。
【００６９】
また、利用者が内部インターフォン２０の受話器２８を持ち上げることで応答信号を制御部３１に送出しているが、受話器２８を設けずに利用者が応答するためのボタンを備え、このボタンを押すことで応答信号を制御部３１に送出するようにしてもよい。
【００７０】
さらに、ＤＩＳＫ３８に予め登録されたデータと照合するための手段は、上記実施例のような画像認識の場合に限らず、声紋認識、指紋認識などの場合であってもよい。
【００７１】
【発明の効果】
本発明は以上説明したように構成されているので、以下に記載する効果を奏する。
【００７２】
本発明では、来客者がデータベースに登録された人であれば、来客者の顔が撮影された画像、および訪問の用件が電子メールで利用者の携帯電話機および外出先パソコンなどの携帯端末に受信されるため、利用者は受信した電子メールを開くことで、来客者、および訪問の用件を知ることができる。そのため、利用者側から来客者に連絡を取るなどして、従来の場合より円滑な対応が可能となる。
【００７３】
また、電子メールの送信先を複数の携帯端末に設定しておくことで、電子メールの受信可能な条件が携帯端末の種類により異なっていても、利用者は、電子メールの送信先に設定された、いずれかの携帯端末で電子メールを受信できる。
【００７４】
また、携帯電話機と外部インターフォンとの間で音声データが送受信されるだけでなく、来客者の顔が携帯電話機の表示部に表示されるため、利用者は外出中であっても携帯電話機を用いて、自宅への来客者の顔を見ながら来客者と会話できる。そのため、来客者が不審者であっても、在宅時と同様に素早く応答でき、不在であることを察知されることがなく、不審者の自宅への侵入を未然に防止できる。
【００７５】
また、来客者が荷物の配送のために訪問した宅配業者であると、利用者は外出先から携帯電話機を用いて宅配業者と話しができ、再配送の希望日時を通知できる。そのため、荷物が食品などでその日のうちに配送すべきものであると、利用者はその日のうちで受け取り可能な時間に再配送を頼むことができる。再配送の希望日時を荷受人から聞くことができるため、宅配業者は自社への連絡先が書かれた用紙を残す必要がなく、荷受人からの連絡を待つ必要もなくなる。再配送時に荷受人が不在ということを防ぎ、宅配業者は無駄な配送の手間が省ける。
【００７６】
また、宅配業者が訪問時に外部インターフォンと利用者の携帯電話機が接続されなくても、宅配業者は自社への連絡先を録音すれば、連絡先の書かれた用紙を残す手間が省ける。
【００７７】
また、来客者の顔の画像データ、および音声データが格納されるため、来客者が不審者であった場合に、格納された画像データおよび音声データが防犯に役立つ。
【００７８】
さらに、外部センサーが不審者の侵入を検知すると、その旨が携帯電話機を介して利用者に通知される。そのため、利用者は外出中でも自宅に不審者が侵入したことを知ることができる。
【図面の簡単な説明】
【図１】本発明のインターフォンシステムの一構成例を示すブロック図である。
【図２】本発明のインターフォンシステムの各構成を詳細に示すブロック図である。
【図３】利用者が在宅時のインターフォンシステムの動作手順を示すフローチャートである。
【図４】利用者が不在時で、かつ来客者が登録されている場合のインターフォンシステムの動作手順を示すフローチャートである。
【図５】利用者が不在時で、かつ来客者が未登録の場合のインターフォンシステムの動作手順を示すフローチャートである。
【図６】不審者の侵入を検知した場合のインターフォンシステムの動作手順を示すフローチャートである。
【符号の説明】
１０　　外部インターフォン
１１、２２　　スピーカ
１２、２１　　マイク
１３　　カメラ
１４　　呼出ボタン
２０　　内部インターフォン
２３　　モニタ
２４　　録音再生部
２５、３２　　メモリ部
２６、３６　　接続部
２７　　インターフォン制御部
２８　　受話器
３０　　パソコン
３１　　制御部
３３　　画変換部
３４　　音変換部
３５　　転送部
３７　　応答部
３８　　ＤＩＳＫ
４０　　携帯電話機
５０　　外出先パソコン
６０　　外部センサー
１００　　インターネット
【図１】
2004056370.tif 000003
【図２】
2004056370.tif 000004
【図３】
2004056370.tif 000005
【図４】
2004056370.tif 000006
【図５】
2004056370.tif 000007
【図６】
2004056370.tif 000008